(57)【要約】【課題】衣類を乾燥するのに、電気やガスの燃料代がかからない、晴れの日は太陽の光や輻射熱を利用した自然乾燥ができ、物干し竿やハンガーや使えて乾いた衣類がしわが寄らない。【解決手段】乾燥室は、伸縮構造のシート容体を取り付けたユニット１と、ユニット１の対向部位として、シートの端部と結合して密閉室を形成するユニット２から構成されており、ユニット１とユニット２に物干し具を取り付けるための器具を具備している。【選択図】  図１
2006181311.tif 000002
【特許請求の範囲】
【請求項１】
シートの移動により乾燥室を形成し、
上記乾燥室は、伸縮構造のシート容体を取り付けるユニット１と、ユニット１の対向部位として、シートの端部と結合するユニット２から構成され、ユニット１とユニット２に物干し具を取り付けるための器具を具備することを特徴とする衣類乾燥器。
【請求項２】
上記シートの材質は、太陽光や輻射熱を取り入れることができる材質であることを特徴とする請求項１に記載の衣類乾燥器。
【請求項３】
上記乾燥室に吸気口と排気口を設け、温風を上記乾燥室に送風して強制的に乾燥させることを特徴とする請求項１に記載の衣類乾燥器。
【請求項４】
上記伸縮構造のシートの移動において、雨を感知する装置または信号装置を設け、該感雨装置または無線信号装置の指令により上記シートが自動的に移動し、乾燥室を開閉させることを特徴とする請求項１乃至３に記載の衣類乾燥器。
【請求項５】
上記乾燥室に吸入口と吹き出し口を設け、吸入口から吸入した乾燥室の空気を除湿機で除湿して吹き出し口から乾燥室に送風することを特徴とする請求項１乃至２に記載の衣類乾燥器。
【発明の詳細な説明】
【技術分野】
【０００１】  本発明は、伸縮構造のシートの移動により乾燥室を形成する衣類乾燥器に関する。
【背景技術】
【０００２】  従来の衣類乾燥機は、電気式やガス燃焼式が採用され、固定式の乾燥室に温風を送風するのが一般的である。
【発明の開示】
【発明が解決しようとする課題】
【０００３】  しかしながら、従来は次のような問題点がある。
電気やガスの燃料代が余分にかかる。
太陽の光や輻射熱を利用した自然乾燥の衣類のほうが体に良いが、従来の衣類乾燥機は自然乾燥ではない。
物干しやハンガーや使えないので乾いた衣類にしわが寄る。【０００４】  この発明の目的は、従来の問題を解決するためになされたもので、
伸縮構造のシートを閉じて乾燥室を形成しながら、内部に従来の物干し竿やハンガーが使用出来る様にし、シートに太陽光や輻射熱を取り入れる材質の物を使用して乾燥室を閉じた時でも衣類の乾燥が可能となり、電気代、ガス代がかからない非常に経済的な衣類乾燥器を提供することである。
【課題を解決するための手段】
【０００５】  本発明に係わる衣類乾燥器は、請求項１に記載のように、シートの移動により乾燥室を形成し、上記乾燥室は、伸縮構造のシート容体を取り付けるユニット１と、ユニット１の対向部位として、シートの端部と結合するユニット２から構成され、ユニット１とユニット２に物干し具を取り付けるための器具を具備することを特徴とする。【０００６】  請求項２では、上記シートの材質は、太陽光や輻射熱を取り入れることができる材質であることを特徴とする。【０００７】  請求項３では、上記乾燥室に吸気口と排気口を設け、温風を上記乾燥室に送風して強制的に乾燥させることを特徴とする。【０００８】  請求項４では、上記伸縮構造のシートの移動において、雨を感知する装置または信号装置を設け、該感雨装置または無線信号装置の指令により上記シートが自動的に移動し、乾燥室を開閉させることを特徴とする。【０００９】  請求項５では、上記乾燥室に吸入口と吹き出し口を設け、吸入口から吸入した乾燥室の空気を除湿機で除湿して吹き出し口から乾燥室に送風することを特徴とする。
【発明の効果】
【００１０】  請求項１によれば、
シート乾燥室は、伸縮構造のシート容体を取り付けたユニット１と、ユニット１の対向部位として、シートの端部と結合して密閉室を形成するユニット２から構成されており、ユニット１とユニット２に物干し具を取り付けるための器具を具備しているので、従来の物干し竿やハンガーが使用出来きズボンや上着を干した時にしわになることがない。
また、伸縮構造としてジャバラ構造等を採用することにより、開閉が楽であり、乾燥室もコンパクトに形成できる。【００１１】  請求項２によれば、
上記シートに太陽光や輻射熱を取り入れる材質の物を使用して、乾燥室を閉じた時でも衣類の乾燥が可能となる。
晴れた日でも乾燥室を閉じて乾燥して、途中で雨となっても濡れる心配がない。
天気の変動が激しい時には２〜３日そのまま放置しておくと乾燥出来るので便利である。
電気代、ガス代がかからないので非常に経済的である。
シートに色、および装飾を行えば、衣類等を収納した場合でも外観が良い。
高級マンションで外観上の理由でベランダに衣類を干せないのが解消する。
女性の下着も安心して干せる。【００１２】  請求項３によれば、
吸気口と、乾燥室と、排気口から構成し、天気の良い時等はシートを開き自然乾燥し、悪い時はシートを閉めて温風等を吸気口から吸引し強制乾燥させる等使い分け出来て便利で経済的である。
長雨が続く時には強制乾燥出来て便利である。【００１３】  請求項４によれば、
雨を感知する装置や、無線のからの指令により自動的に移動し、乾燥室を開閉して、雨の心配が無い。
開閉が自動で出来るので便利である。【００１４】  請求項５によれば、
吸入口と、乾燥室と、吹き出し口から構成し、乾燥室を除湿して衣類を乾かす。
乾燥室は閉鎖した状態では室内温度が上昇しており、除湿することで衣類の乾きが早まる。
余分な温風を必要としない為に経済的である。
【発明を実施するための最良の形態】
【実施の形態１】
【００１５】  図１は、衣類乾燥器で乾燥室を開放した外観図である。
衣類乾燥器は、ジャバラ構造のシート（３）の容体を取り付けたユニット１（１）と、ユニット１（１）の対向部位として、シートの端部と結合して密閉室を形成するユニット２（２）から構成されている。
シート（３）はスライドバー（５）上の吊り金具（４）により保持されており、スライドバー（５）に沿ってユニット２（２）の方向に移動しシート端部を結合して乾燥室を形成する。
乾燥室には、物干し竿（８）に洗濯物（７）が干されている。
図２はユニット１（１）の乾燥室側からの正面図であり、乾燥室側に物干し竿（８）を取り付ける物干し金具（９）と、物干し紐を取り付けるための物干し紐金具（１０）が具備されている。
また、ジャバラ構造のシート（３）の容体は、伸縮シート用フランジ（１１）によりユニット１（１）に固定されている。
図３はユニット２（２）の乾燥室側からの正面図であり、乾燥室側に物干し竿（８）を取り付ける物干し金具（９）と、物干し紐を取り付けるための物干し紐金具（１０）と、及び上部にスライドバー（５）の留め具（１２）が具備されている。
シート（３）の端部を伸縮シート用フランジ（１１）に当て周囲をクリップ等で固定する。
図４は、衣類乾燥器で乾燥室を閉鎖した外観図であり、乾燥室の内部の物干し竿（８）に洗濯物（７）が掛けてある。
物干し竿（８）には、ハンガー等が使用出来るのでズボンや上着を干した時にしわになることがない。
上記シート（３）に太陽光や輻射熱を取り入れるビニールシート等を使用すると、乾燥室を閉じた時でも衣類の乾燥が可能となる。
晴れた日でも乾燥室を閉じて乾燥して、途中で雨となっても濡れる心配がない。
天気の変動が激しい時には２〜３日そのまま放置しておくと乾燥出来るので便利である。
電気代、ガス代がいらないので非常に経済的である。
また、上記シート（３）に例えば青色、および装飾を行い、衣類等の収納した場合でも外観が良い様にすることが出来る。高級マンションで外観上の理由でベランダに衣類を干せないのが解消する。
なお、伸縮構造としてジャバラ構造を記載したが、それに限らず、例えば筒状のビニールシートや伸びやすいゴムシート等を採用しても良い。
【実施の形態２】
【００１６】  図５は無線のからの指令により自動的に移動し、乾燥室を開閉する衣類乾燥器の外観図である。
無線のデータをアンテナ（１３）で受信し、電池を内蔵した制御装置（１４）によりモータ（１５）を起動する。
モータ（１５）の起動により回転ローラ１（１６）が回転し、ワイヤー（１８）が移動する。
シート（３）は支持点（１７）により保持されており、支持点（１７）はワイヤー（１８）に連結されているのでシート（３）も同様に移動する。
なお、Ａ断面における断面図である図６に示す様に、ユニット１（１）には温風機（２１）と吸気口（２２）が設けてあり、ワイヤー（１８）の移動により乾燥室が閉じた後に温風を吹き込み強制乾燥させる。
また、乾燥室の湿った空気は図５の排気口（２０）から排気される。
【実施の形態３】
【００１７】  図７は乾燥室に吸入口と吹き出し口を設け、吸入口から吸入した乾燥室の空気を除湿機で除湿して吹き出し口から乾燥室に送風する衣類乾燥器の外観図である。
Ｂ断面における断面図である図８に示す様に、ユニット１（１）には吸入口（２３）と吹き出し口（２５）が設けてあり、除湿機（２４）により乾燥室の空気を除湿して衣類を乾燥させる。
また、Ｃ断面における断面図である図９に示す様に乾燥室側には湿度計があり、乾燥室の湿度の値が、例えば５０％を超えると除湿機（２４）が起動して乾燥させる。
【図面の簡単な説明】
【００１８】
【図１】  本発明の実施形態１における衣類乾器の乾燥室を開放した外観図である。
【図２】  実施形態１における衣類乾燥器のユニット１（１）の乾燥室側からの正面図である。
【図３】  実施形態１における衣類乾燥器のユニット２（２）の乾燥室側からの正面図である。
【図４】  実施形態１における衣類乾燥器の乾燥室を閉鎖した外観図である。
【図５】  実施形態２における無線指令の自動解放する衣類乾燥器の外観図である。
【図６】  実施形態２における図５のＡ断面における断面図である。
【図７】  実施形態３における衣類乾燥器の乾燥室を閉鎖した外観図である。
【図８】  実施形態３における図７のＢ断面における断面図である。
【図９】  実施形態３における図７のＣ断面における断面図である。
【符号の説明】
【００１９】  １  ユニット１
２  ユニット２
３  シート
４  吊り金具
５  スライドバー
６  支柱
７  洗濯物
８  物干し竿
９  物干し金具
１０  物干し紐金具
１１  伸縮シート用フランジ
１２  留め具
１３  アンテナ
１４  制御装置
１５  モータ
１６  回転ローラ１
１７  支持点
１８  ワイヤー
１９  回転ローラ２
２０  排気口
２１  温風機
２２  吸気口
２３  吸入口
２４  除湿機
２５  吹き出し口
２６  湿度計
【図１】
2006181311.tif 000003
【図２】
2006181311.tif 000004
【図３】
2006181311.tif 000005
【図４】
2006181311.tif 000006
【図５】
2006181311.tif 000007
【図６】
2006181311.tif 000008
【図７】
2006181311.tif 000009
【図８】
2006181311.tif 000010
【図９】
2006181311.tif 000011